(57)【特許請求の範囲】
【請求項１】
打ち抜き穴１０を有する打ち抜き後のフープ材９を切断するフープ材カッターにおいて、スライドベース２上の左右両側部２ａ、２ｂに一対の切断部２８を備えるフープ材カッター本体１ａ、１ｂを対向配置するとともに、
前記一対のフープ材カッター本体１ａ、１ｂを、それぞれスライドベース２上にて摺動させつつ相互の間隔を対向配置方向に拡縮手段にて拡縮可能に構成し、
前記打ち抜き穴１０を有する打ち抜き後のフープ材９の打ち抜き穴１０の左右両側端部１０ａ、１０ｂの切断位置に前記一対のフープ材カッター本体１ａ、１ｂをそれぞれ相互の間隔を前記拡縮手段にて拡縮しつつ調整した後、
前記フープ材９の打ち抜き穴１０の左右両側端部１０ａ、１０ｂを、前記一対のフープ材カッター本体１ａ、１ｂの切断部２８に送り込みつつ、
前記フープ材９の打ち抜き穴１０の左右両側端部１０ａ、１０ｂを前記一対のフープ材カッター本体１ａ、１ｂにて別々に切断することにより前記フープ材９の全幅を切断することができるように構成したことを特徴とするフープ材カッター。
【請求項２】
前記拡縮手段は、前記一対のフープ材カッター１ａ、１ｂの相互間を、それぞれの雌ネジ３ａ、３ｂを雄ネジ５ａ、５ｂを有するネジ軸５を介し連結すると共に、該ネジ軸５の回転により前記一対のフープ材カッター本体１ａ、１ｂを同時に移動してその相互間を拡縮することができるように構成したことを特徴とする請求項１記載のフープ材カッター。
【発明の詳細な説明】
【技術分野】
【０００１】
本発明は、フープ材を連続的に切断するフープ材カッターに関する。
【背景技術】
【０００２】
従来のフープ材カッターは、例えば特許文献１及び２に示される発明が公知である。これらの発明はいずれもフープ材の全幅を切断する幅の広い刃物を使用する構成であった。
【発明の開示】
【発明が解決しようとする課題】
【０００４】
解決しょうとする問題点は、従来の構成ではフープ材カッターの製造コストが嵩むという点である。
すなわち、前記従来のフープ材カッターはフープ材の全幅を切断する幅の広い刃物を使用するために、装置が大きくなり、装置の製造コストが嵩むという問題があった。
【課題を解決するための手段】
【０００５】
本発明は、フープ材カッターの製造コストを削減するために打ち抜かれた打ち抜き穴を有するフープ材の両側方を別々に切断する一対のフープ材カッターを、フープ材を中心に対向配置する構成であり、更に対向配置されたフープ材カッターの相互間を、切断するフープ材の幅に合わせて適切な間隔に拡縮可能に構成したことを特徴とし、具体的には、打ち抜き穴１０を有する打ち抜き後のフープ材９を切断するフープ材カッターにおいて、スライドベース２上の左右両側部２ａ、２ｂに一対の切断部２８を備えるフープ材カッター本体１ａ、１ｂを対向配置するとともに、前記一対のフープ材カッター本体１ａ、１ｂを、それぞれスライドベース２上にて摺動させつつ相互の間隔を対向配置方向に拡縮手段にて拡縮可能に構成し、前記打ち抜き穴１０を有する打ち抜き後のフープ材９の打ち抜き穴１０の左右両側端部１０ａ、１０ｂの切断位置に前記一対のフープ材カッター本体１ａ、１ｂをそれぞれ相互の間隔を前記拡縮手段にて拡縮しつつ調整した後、前記フープ材９の打ち抜き穴１０の左右両側端部１０ａ、１０ｂを、前記一対のフープ材カッター本体１ａ、１ｂの切断部２８に送り込みつつ、前記フープ材９の打ち抜き穴１０の左右両側端部１０ａ、１０ｂを前記一対のフープ材カッター本体１ａ、１ｂにて別々に切断することにより前記フープ材９の全幅を切断することができるように構成したことを特徴とする。
【発明の効果】
【０００６】
本発明のフープ材カッターは、フープ材を中心にしてフープ材カッターを対向配置し、打ち抜かれたフープ材の両側方を対向配置されたフープ材カッターのそれぞれにて別々に切断する構成であるので、それぞれのフープ材カッターには幅の広い刃物を取り付ける必要がなくなり、装置を小型化することが可能となる。これによりフープ材カッターの製造コストを削減することができる利点がある。
【発明を実施するための最良の形態】
【０００７】
フープ材カッターの製造コストを削減するという目的を、フープ材を中心にしてフープ材カッターを対向配置する構成にしたことにより幅の狭い刃物でもフープ材を切断することができる廉価なフープ材カッターを実現した。
【実施例】
【０００８】
図1から図3は,本発明の実施例に係り、図1はフープ材カッターの全体を示す正面図、図2はフープ材カッターの全体を示す側面図、図3はフープ材カッターの作動部を示す正面図、図4はフープ材カッターの作動部を示す断面図、図5はフープ材の切断部を示す図である。
【０００９】
図１及び図２に示すようにフープ材カッターは、フープ材カッター本体１ａ，１ｂがスライドベース２上の左右側部２ａ、２ｂに対向配置され,その一方のフープ材カッター本体１ａの底面には左ネジ又は右ねじの雌ネジ３ａが、他方のフープ材カッター本体１ｂの底面には前記本体１ａとは逆向きの左ネジ又はは右ねじの雌ネジ３ｂが設けられている。また中央には左右調整ネジ回し部４が設けられており、その左右に前記フープ材カッター本体１ａ、１ｂの底面に設けられた雌ネジ３ａ，３ｂに螺合しうる左叉は右ネジの雄ネジ５ａ，５ｂのネジ軸５が接続されている。そしてこのネジ軸５の雄ネジ５ａ，５ｂが前記両フープ材カッター本体１ａ、１ｂの雌ネジ３ａ，３ｂそれぞれに螺合することにより前記フープ材カッター本体１ａ，１ｂの相互間が連結されている。そして左右調整ネジ回し部４を回転操作することにより対向配置されたフープ材カッター本体１ａ，１ｂそれぞれをスライドベース２上にて摺動させつつ相互の間隔を対向配置方向に拡縮することができる構成となっている。
【００１０】
更にスライドベース２の下面には固定ベース６が配置され、中央の前後調整ネジ回し部８の回転操作にてガイドブロック７をガイドにしてスライドベース２を前後方向に移動することができるように構成されている。これにより一対のフープ材カッター１ａ，１ｂ全体を前後に調製することが可能となる。なおこの前後調整手段は図３に示すフープ材９の打ち抜き穴１０における切断しようとする左右両側端部１０ａ、１０ｂの位置を調整するものである。
【００１１】
フープ材カッター本体１ａ、１ｂの作動部は、図３及び図４に示すようにメインフレーム１１とサブフレーム１２がスペーサ１３を介して並行に設けられ、その相互間にラム１４が摺動自在に設けられている。ラム１４の上方にはカムシャフト１５の偏芯部１６が軸受け１７を介して回転自在に嵌合され、カムシャフト１５の両端がメインフレーム１１及びサブフレーム１２に軸受け１８，１９を介して回転自在に支持されている。これによりモータ２０の駆動軸２０ａに固結される前記偏芯軸１５をモータ２０の駆動にて回転する構成になっている。
【００１２】
更に、ラム14の中間にはガイドピン21が固定され、ガイドピン21がサブフレーム12側にて縦方向に形成されたガイド溝22に摺動自在に係合されていて、カムシャフト15の回転駆動とガイド溝22のガイドによりラム14が揺動しつつ上下動する構成になっている。
また、メインフレーム11の下方における内側にフープ材を切断する固定刃23が固定され、一方、ラム14の下端における外側に動刃24が固定されている。なお符号25は刃物押さえを示す。
【００１３】
また、固定刃23と動刃24との間における側方（図の左側、即ち、対向配置されたフープ材カッター1a,1bの対向側）にフープ材を案内するホッパー26が設けられ、更にその側方にフープ材9を送り込む上下一対のピンチローラ27が設けられている。この構成にてフープ材9はピンチローラ27の駆動によりその相互間に挟まれて矢印で示す方向に送られ、ホッパー26に案内されて切断部28に送り込まれる。
【００１４】
上記構成のフープ材カッターは、図５に示す型抜きされた打ち抜き穴１０を有するフープ材９の切断に際して、まず左右調整ネジ回し部４を回転操作して対向配置されたフープ材カッター1ａ，１ｂ相互の間隔を、フープ材９の打ち抜き穴１０の左右両側端部１０ａ、１０ｂを切断しうる位置に調整する。この場合、必要に応じて前後調整ネジ回し部８を回転操作して前後方向の位置をフープ材９の打ち抜き穴１０の左右両側端部１０ａ、１０ｂの切断位置に調整する。
【００１５】
次に、フープ材カッター1ａ，１ｂそれぞれに配設されたモータ２０を同期駆動させる。これによりラムが同時に上下動する。次にピンチローラ２７を回転させ、フープ材９を挟み込んでホッパー２６に送り込み、更に切断部２８に送り込む。これによりフープ材９の打ち抜き穴１０の左右両側端部１０ａ、１０ｂはフープ材カッター本体１ａ、１ｂのそれぞれの切断部２８における動刃２４と固定刃２３との間で切断される。すなわち、フープ材９は図５に示す打ち抜き穴１０の左右両側端部１０ａ、１０ｂが、対向配置されたそれぞれのフープ材カッター本体１ａ，１ｂにて別々に切断されることにより、フープ材９は打ち抜きあな１０を介して単に当該打ち抜き穴１０の左右両側端部１０ａ、１０ｂの切断にてフープ材９の全幅がされる。
【００１６】
以上により本発明のフープ材カッターは、従来のようにフープ材の全幅を切断する幅の刃物を使用した大型の装置ではなく、打ち抜き後の打ち抜き穴を有するフープ材の切断に当たり打ち抜き穴の左右両側端部のみを別々に切断する幅の狭い刃物を使用した小型の一対のフープ材カッター本体を対向配置する構成にしたことによりフープ材カッターの製造コストを削減することが可能となった。特に本発明のフープ材カッターは幅の広いフープ材を切断する場合に有利である。
【図面の簡単な説明】
【００１７】
【図１】フープ材カッターの全体を示す正面図である。
【図２】フープ材カッターの全体を示す側面図である。
【図３】フープ材カッターの作動部を示す正面図である。
【図４】フープ材カッターの作動部を示す断面図である。
【図５】フープ材の切断部を示す図である。
【符号の説明】
【００１８】
１ａ、１ｂ  フープ材カッター本体
２  スライドベース
３ａ、３ｂ  雌ネジ
４  左右調整ネジ回し部
５  ネジ軸
５ａ、５ｂ  雄ネジ
６  固定ベース
７  ガイドブロック
８  前後調整ネジ回し部
９  フープ材
１０  抜き打ち穴
１０ａ、１０ｂ  左右両側端部
１１  メインフレーム
１２  サブフレーム
１３  スペーサ
１４  ラム
１５  カムシャフト
１６  偏芯部
１７，１８，１９  軸受け
２０  モータ
２１  ガイドピン
２２  ガイド溝
２３  固定刃
２４  動刃
２５  刃物押さえ
２６  ホッパー
２７  ピンチローラ
２８  切断部
【図１】
0004837363.tif 000002
【図２】
0004837363.tif 000003
【図３】
0004837363.tif 000004
【図４】
0004837363.tif 000005
【図５】
0004837363.tif 000006